(57)【要約】【課題】作業者の意に反して溝からケーブルが外れてしまうことを抑制できるケーブル整列治具及びケーブル整列方法を提供すること。【解決手段】ケーブル整列治具は、多芯ケーブルに含まれる複数のケーブルを整列させる。ケーブル整列治具は、前記ケーブルを保持する溝を複数備える。前記溝の長手方向に直交する断面での前記溝の形状は、前記溝の開口部の幅よりも大きい幅を有する部分が前記溝の内部に存在する形状である。前記溝の長手方向に直交する断面での前記溝の形状は、例えば、少なくとも一部が円弧により構成される形状である。【選択図】図２
2020124011.tif 000002
【特許請求の範囲】
【請求項１】
複数のケーブルを整列させるケーブル整列治具であって、
前記ケーブルを保持する溝を複数備え、
前記溝の長手方向に直交する断面での前記溝の形状は、前記溝の開口部の幅よりも大きい幅を有する部分が前記溝の内部に存在する形状であるケーブル整列治具。
【請求項２】
請求項１に記載のケーブル整列治具であって、
前記溝の長手方向に直交する断面での前記溝の形状は、少なくとも一部が円弧により構成される形状であるケーブル整列治具。
【請求項３】
請求項１又は２に記載のケーブル整列治具であって、
前記溝の深さは、前記溝の最大幅の０．５倍以上０．８倍以下であるケーブル整列治具。
【請求項４】
ケーブル整列治具を用いて複数のケーブルを整列させるケーブル整列方法であって、
前記ケーブル整列治具は、
前記ケーブルを保持する溝を複数備え、
前記溝の長手方向に直交する断面での前記溝の形状は、前記溝の開口部の幅よりも  大きい幅を有する部分が前記溝の内部に存在する形状であり、
複数の前記溝のそれぞれに、１本の前記ケーブルを保持させるケーブル整列方法。
【請求項５】
請求項４に記載のケーブル整列方法であって、
前記溝の長手方向に直交する断面での前記溝の形状は、少なくとも一部が円弧により構成される形状であるケーブル整列方法。
【請求項６】
請求項４又は５に記載のケーブル整列方法であって、
前記溝の深さは、前記溝の最大幅の０．５倍以上０．８倍以下であるケーブル整列方法。
【発明の詳細な説明】
【技術分野】
【０００１】
本開示はケーブル整列治具及びケーブル整列方法に関する。
【背景技術】
【０００２】
従来、複数のケーブルを含む多芯ケーブルが使用されている（特許文献１参照）。多芯ケーブルに含まれる複数のケーブルは、それぞれ、基板やコネクタに接続される。複数のケーブルを基板やコネクタに接続するとき、複数のケーブルを一定のピッチで整列させる必要がある。  
【先行技術文献】
【特許文献】
【０００３】
【特許文献１】特開２０１０−２８８４０２号公報
【発明の概要】
【発明が解決しようとする課題】
【０００４】
複数のケーブルを一定のピッチで整列させる方法として、ケーブル整列治具を使用する方法が考えられる。ケーブル整列治具は、ケーブルを保持する溝を複数備える。複数の溝のそれぞれに１本のケーブルを押し込むことで、複数のケーブルを整列させることができる。
【０００５】
しかしながら、溝に押し込んだケーブルが作業者の意に反して容易に溝から外れてしまうことがある。本開示の１つの局面は、作業者の意に反して溝からケーブルが外れてしまうことを抑制できるケーブル整列治具及びケーブル整列方法を提供することを目的とする。
【課題を解決するための手段】
【０００６】
本開示の１つの局面は、複数のケーブルを整列させるケーブル整列治具であって、前記ケーブルを保持する溝を複数備え、前記溝の長手方向に直交する断面での前記溝の形状は、前記溝の開口部の幅よりも大きい幅を有する部分が前記溝の内部に存在する形状であるケーブル整列治具である。
【０００７】
本開示の１つの局面であるケーブル整列治具において、溝の長手方向に直交する断面での溝の形状は、溝の開口部の幅よりも大きい幅を有する部分が溝の内部に存在する形状である。そのため、本開示の１つの局面であるケーブル整列治具は、作業者の意に反して溝からケーブルが外れてしまうことを抑制できる。
本開示の別の局面は、ケーブル整列治具を用いて複数のケーブルを整列させるケーブル整列方法であって、前記ケーブル整列治具は、前記ケーブルを保持する溝を複数備え、前記溝の長手方向に直交する断面での前記溝の形状は、前記溝の開口部の幅よりも  大きい幅を有する部分が前記溝の内部に存在する形状であり、複数の前記溝のそれぞれに、１本の前記ケーブルを保持させるケーブル整列方法である。
本開示の別の局面であるケーブル整列方法では、ケーブル整列治具を使用する。ケーブル整列治具は、ケーブルを保持する溝を複数備える。溝の長手方向に直交する断面での溝の形状は、溝の開口部の幅よりも大きい幅を有する部分が溝の内部に存在する形状である。そのため、本開示の別の局面であるケーブル整列方法によれば、作業者の意に反して溝からケーブルが外れてしまうことを抑制できる。
【図面の簡単な説明】
【０００８】
【図１】ケーブル整列治具１の構成を表す平面図である。
【図２】図１におけるII-II断面での断面図であって、長手方向Ｌに直交する断面での断面図である。
【図３】溝５の構成を表す、長手方向Ｌに直交する断面での断面図である。
【図４】多芯ケーブル２１の構成を表す説明図である。
【図５】ケーブル整列治具１の使用方法を表す説明図である。
【図６】溝５にケーブル２３を押し込むときの溝５及びケーブル２３の態様を表す説明図である。
【図７】ケーブル整列治具１の別の形態を表す、長手方向Ｌに直交する断面での断面図である。
【図８】ケーブル整列治具１の別の形態を表す、長手方向Ｌに直交する断面での断面図である。
【図９】ケーブル整列治具１の別の形態を表す、長手方向Ｌに直交する断面での断面図である。
【図１０】ケーブル整列治具１の別の形態を表す、長手方向Ｌに直交する断面での断面図である。
【発明を実施するための形態】
【０００９】
本開示の例示的な実施形態について図面を参照しながら説明する。
＜第１実施形態＞
１．ケーブル整列治具１の構成
ケーブル整列治具１の構成を、図１〜図３に基づき説明する。ケーブル整列治具１は、例えば、多芯ケーブルに含まれる複数のケーブルを整列させるために使用される。ケーブル整列治具１の基本的な形態は、例えば、矩形の板状部材である。
【００１０】
図１に示すように、ケーブル整列治具１の一方の面３に複数の溝５が形成されている。例えば、複数の溝５は、それぞれ、ケーブル整列治具１の一方の端部７から反対側の端部９まで達している。例えば、ケーブル整列治具１の板厚方向から見たとき、複数の溝５の形状は、それぞれ直線である。例えば、複数の溝５は互いに平行である。例えば、複数の溝５は一定のピッチで、幅方向ＷＤに沿って並んでいる。幅方向ＷＤは、溝５の幅方向である。
【００１１】
図２に示すように、ケーブル整列治具１は、基板１１と、金属層１３とが積層された構造を有する。基板１１の材質として、例えば、ガラスエポシキ等が挙げられる。基板１１の表面は平坦である。金属層１３の材質として、例えば、銅、ステンレス等が挙げられる。溝５は金属層１３に形成されている。溝５を形成する方法として、例えば、金属層１３の一部をエッチングする方法等が挙げられる。
【００１２】
図３に示すように、溝５の長手方向Ｌに直交する断面（以下では直交断面とする）での溝５の形状は、円弧である側面１５と、平坦な底面１７とから成る形状である。側面１５は、金属層１３により構成される。底面１７は基板１１の表面により構成される。
【００１３】
直交断面における溝５の幅をｗとする。ｗの測定方向は、基板１１及び金属層１３の主面と平行な方向である。開口部１９におけるｗをｗ１とする。開口部１９は、溝５の内部と溝５の外部との境界部分である。
【００１４】
溝５の内部のうち、ｗがｗ１より大きい部分を幅広部２０とする。図３に示す溝５の場合、溝５のうち、開口部１９を除く部分が幅広部２０である。幅広部２０は開口部１９に隣接している。幅広部２０は、ケーブルの少なくとも一部を収容可能である。幅広部２０は、ｗ１より大きいｗを有し、溝５の内部に存在する部分に対応する。
【００１５】
溝５の深さをｄとする。溝５の深さとは、金属層１３の表面のうち、溝５に隣接する部分（以下では隣接部１３Ａとする）を通る平面と、底面１７を通る平面との距離である。溝５の中で最大のｗをｗｍａｘとする。図３に示す溝５の場合、ｗｍａｘは、開口部１９と底面１７との中間付近におけるｗである。ｄは、ｗｍａｘの０．５倍以上０．８倍以下であることが好ましい。
【００１６】
２．ケーブル整列治具１を用いたケーブル整列方法
ケーブル整列治具１を用いたケーブル整列方法を、図４〜図６に基づき説明する。まず、図４に示す多芯ケーブル２１を用意する。多芯ケーブル２１は、複数のケーブル２３を含む。それぞれのケーブル２３は、例えば、図６に示す同軸ケーブルである。ケーブル２３が同軸ケーブルである場合、ケーブル２３は、内部導体２５、絶縁層２７、第１ジャケット２９、外部導体３１、及び第２ジャケット３３を備える。また、ケーブル２３は、例えば、単線または撚線からなる導体と、この導体を被覆する絶縁層とを有する絶縁電線であってもよい。複数のケーブル２３は、同軸ケーブルと絶縁電線との組み合わせであってもよい。ケーブル２３の直径は、例えば、１００μｍ以上５００μｍ以下である。
【００１７】
図５に示すように、ケーブル整列治具１を用意する。図５に示す事例では、２つのケーブル整列治具１を用意する。なお、使用するケーブル整列治具１の数は、１であってもよいし、３以上であってもよい。
【００１８】
一部のケーブル２３を、一方のケーブル整列治具１を用いて整列させる。このとき、図６に示すように、複数の溝５のそれぞれに、１本のケーブル２３を押し込む。ケーブル２３の直径は、ｗｍａｘ以下であり、ｗ１より大きい。ケーブル２３を溝５に押し込むとき、ケーブル２３の外周部は、開口部１９において圧縮され、開口部１９を通過すると、元の形状に戻る。溝５に押し込まれたケーブル２３の中心は、溝５の内部に位置する。溝５に押し込まれたケーブル２３の一部は、幅広部２０に収容される。溝５の内周面のうち、開口部１９に面する端部３７は、例えば、溝５に押し込まれたケーブル２３の外周面に当接している。溝５に押し込まれたケーブル２３は、溝５により保持される。
【００１９】
また、残りのケーブル２３を、他方のケーブル整列治具１を用いて整列させる。このときも、上記と同様に、複数の溝５のそれぞれに、１本のケーブル２３を押し込む。次に、ケーブル整列治具１を用いて整列させたそれぞれのケーブル２３が相互に移動しないように、整列させた複数のケーブル２３をテープ等の固定部材で一括して固定する。次に、複数の溝５のそれぞれから、ケーブル２３を取り出す。最後に、ケーブル２３を基板やコネクタに接続する。
【００２０】
３．ケーブル整列治具１及びケーブル整列方法が奏する効果
（１Ａ）直交断面での溝５の形状は、幅広部２０を有する形状である。幅広部２０は、ｗ１より大きいｗを有し、溝５の内部に存在する。幅広部２０に、ケーブル２３の少なくとも一部を収容することができる。ケーブル２３は、溝５から外れるとき、幅がｗ１である開口部１９を通過する必要がある。そのため、作業者の意に反して溝５からケーブル２３が外れてしまうことを抑制できる。
【００２１】
（１Ｂ）直交断面での溝５の形状は、少なくとも一部が円弧により構成される形状である。そのため、溝５は、断面形状が円形であるケーブル２３を一層確実に保持することができる。
【００２２】
（１Ｃ）ｄは、ｗｍａｘの０．５倍以上０．８倍以下であることが好ましい。ｄがｗｍａｘの０．５倍以上である場合、ケーブル２３を溝５の奥に深く押し込むことができるので、作業者の意に反して溝５からケーブルが外れてしまうことを一層抑制できる。
【００２３】
ｄがｗｍａｘの０．５倍以上０．８倍以下である場合、図６に示すように、ケーブル２３の一部（以下では非収容部３５とする）は、溝５に収容されず、溝５の外側に存在する。隣接部１３Ａを基準とする非収容部３５の高さをｈとする。ｈは、例えば、ケーブル２３の直径の１／４〜１／３倍である。非収容部３５が存在することにより、ケーブル２３を溝５から外す作業が容易である。ｈが、ケーブル２３の直径の１／４〜１／３倍である場合、ケーブル２３を溝５から外す作業が一層容易である。
例えば、ケーブル２３を溝５から外す作業を、次のように行うことができる。まず、複数のケーブル２３の非収容部３５を一括してテープ等の固定部材で覆うことで、複数のケーブル２３を、相互に移動しないように固定する。次に、この固定部材をケーブル整列治具１から離すことによって、複数のケーブル２３をまとめて溝５から外す。
＜他の実施形態＞
以上、本開示の実施形態について説明したが、本開示は上述の実施形態に限定されることなく、種々変形して実施することができる。
【００２４】
（１）直交断面での溝５の形状は、図７、図８に示すように、全体が円弧から成る形状であってもよい。この円弧の中心角は１８０度より大きい。また、図７、図８に示すように、溝５の内周面が全て金属層１３により構成されていてもよい。図７、図８に示す形態の場合、溝５の底面付近を除く部分が幅広部２０となる。
【００２５】
（２）図８に示すように、ケーブル２３の全体が溝５の内部に収容されてもよい。図８に示す形態の場合、非収容部３５は存在しない。また、溝５の内面全てが金属層１３から形成されている。
（３）溝５の形態は、例えば、図９に示すものであってもよい。開口部１９は狭窄部３９により狭窄されている。狭窄部３９は、溝５の幅方向ＷＤにおける中央に向けて突出している。側面１５のうち、狭窄部３９を除く部分、及び底面１７は平面である。
【００２６】
溝５のうち、開口部１９を除く部分が幅広部２０である。幅広部２０でのｗは一定である。幅広部２０は開口部１９に隣接する。幅広部２０はケーブル２３の少なくとも一部を収容可能である。
【００２７】
（４）溝５の形態は、例えば、図１０に示すものであってもよい。直交断面において、側面１５及び底面１７は平面である。側面１５と底面１７とが成す角度は鋭角である。ｗは、溝５の奥にゆくほど大きくなっている。ｗは、溝５の最も奥の部分で最大となっている。溝５の内部のうち、開口部１９を除く部分が幅広部２０に対応する。幅広部２０は開口部１９に隣接する。幅広部２０はケーブル２３の少なくとも一部を収容可能である。
【００２８】
（５）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。
【００２９】
（６）上述したケーブル整列治具及びケーブル整列方法の他、当該ケーブル整列治具を構成要素とするシステム、ケーブルアセンブリの製造方法等、種々の形態で本開示を実現することもできる。
【符号の説明】
【００３０】
１…ケーブル整列治具、５…溝、７、９…端部、１１…基板、１３…金属層、１３Ａ…隣接部、１５…側面、１７…底面、１９…開口部、２０…幅広部、２１…多芯ケーブル、２３…ケーブル、２５…内部導体、２７…絶縁層、２９…第１ジャケット、３１…外部導体、３３…第２ジャケット、３５…非収容部、３７…端部、３９…狭窄部
【図１】
2020124011.tif 000003
【図２】
2020124011.tif 000004
【図３】
2020124011.tif 000005
【図４】
2020124011.tif 000006
【図５】
2020124011.tif 000007
【図６】
2020124011.tif 000008
【図７】
2020124011.tif 000009
【図８】
2020124011.tif 000010
【図９】
2020124011.tif 000011
【図１０】
2020124011.tif 000012